(57)【要約】      （修正有）【課題】介護対象の動物を飼い主などが一人で移動させることができる動物介護用手持ち付きマットを提供する。【解決手段】開示する動物介護用手持ち付きマットは、おもて地１１、ハニカム状クッション層１３及び裏面補強布を積層し、前記おもて地と前記裏面補強布の周囲を縫合して、前記ハニカム状クッション層を包み込んでなる。さらに、前記裏面補強布の裏面に、その長手方向の１／２から振り分け位置にテープ状ロープを並行してループ状に縫い付けることで持ち手Ｈを備える動物介護用持ち手付きマットとする。また、前記持ち手Ｈ部分に装着される着脱自在な肩掛け用ベルトと、前記おもて地の表面であって、その長手方向の１／２から振り分け位置にあり、内向きの開口部を有する袋状機構１９と、を備える。【選択図】図１
0003167223.tif 000002
【実用新案登録請求の範囲】
【請求項１】
おもて地（１１）、ハニカム状クッション層（１３）及び裏面補強布（１６）を積層し、前記おもて地（１１）と前記裏面補強布（１６）の周囲を縫合して、前記ハニカム状クッション層（１３）を包み込んでなり、
前記裏面補強布（１６）の裏面に、その長手方向の１／２から振り分け位置にテープ状ロープ（１７）を並行してループ状に縫い付けてなる持ち手（Ｈ）を備える動物介護用持ち手付きマット（Ｍ）であって、
前記持ち手（Ｈ）部分に着脱自在である肩掛け用ベルト（１８）と、
前記おもて地（１１）の表面であって、その長手方向の１／２から振り分け位置にあり、内向きの開口部を有する袋状機構（１９）と、を備えることを特徴とする動物介護用持ち手付きマット（Ｍ）。
【請求項２】
前記袋状機構（１９）が、当該動物介護用持ち手付きマット（Ｍ）の裏面側に、裏返すことができることを特徴とする請求項１に記載の動物介護用持ち手付きマット（Ｍ）。
【考案の詳細な説明】
【技術分野】
【０００１】
本考案は、犬・猫などの動物介護用手持ち付きマットであって、当該マット上に動物を乗せたまま一人で持ち運びができるマットに関する。
【背景技術】
【０００２】
犬・猫などの動物介護用手持ち付きマットに関する先行技術として、特許文献１などがある。
【先行技術文献】
【特許文献】
【０００３】
【特許文献１】実用新案登録第３１２０８７５号公報
【考案の概要】
【考案が解決しようとする課題】
【０００４】
しかしながら、上記文献に記載の技術は、介護対象の動物を一人で持ち運びすることができないという問題点が有る。
そこで、本考案では、上記問題点に鑑み、介護対象の動物を飼い主などが一人で移動させることができる動物介護用手持ち付きマットを提供することを目的とする。
【課題を解決するための手段】
【０００５】
開示する動物介護用手持ち付きマットの一形態は、おもて地、ハニカム状クッション層及び裏面補強布を積層し、前記おもて地と前記裏面補強布の周囲を縫合して、前記ハニカム状クッション層を包み込んでなり、前記裏面補強布の裏面に、その長手方向の１／２から振り分け位置にテープ状ロープを並行してループ状に縫い付けてなる持ち手Ｈを備える動物介護用持ち手付きマットＭであって、前記持ち手Ｈ部分に装着する、着脱自在な肩掛け用ベルトと、前記おもて地の表面であって、その長手方向の１／２から振り分け位置にあり、内向きの開口部を有する袋状機構と、を備えることを特徴とする。
【考案の効果】
【０００６】
開示する動物介護用手持ち付きマットは、介護対象の動物を飼い主などが一人で移動させることができる。
【図面の簡単な説明】
【０００７】
【図１】本実施の形態に係る動物介護用マットの表面側平面図である。
【図２】本実施の形態に係る動物介護用マットの裏面側平面図である。
【図３】本実施の形態に係る動物介護用マットの断面図である。
【図４】本実施の形態に係るハニカム状クッション層の（ａ）平面図、（ｂ）ｂ−ｂ断面図である。
【考案を実施するための形態】
【０００８】
図面を参照しながら、本考案を実施するための形態について説明する。
（本実施の形態に係る動物介護用持ち手付きマットの構造）
図１乃至図４を用いて、本実施の形態に係る動物介護用持ち手付きマット（以下、単に「マット」という。）Ｍの構造について説明する。図１は、マットＭの表面側平面図であり、図２は、マットＭの裏面側平面図である。また、図３は、マットＭの断面図である。
【０００９】
図１で示すように、マットＭの表面はおもて地１１であり、おもて地１１はコットン１００％である。また、マットＭの表面には、マットＭの長手方向の１／２から振り分け位置に、マットＭの中心方向（内向き）に開口部を有する袋状機構（所謂、ポケット状の機構）１９が備えられている。
【００１０】
袋状機構１９は、おもて地１１と同じ生地で製作されても良いし、それとは異なる素材で製作されても良い。ここで、袋状機構１９は、後述するようにマットＭに動物を乗せて移動させる場合、マットＭの前後方向に動物が滑り落ちない様にするための機構である。
【００１１】
また、袋状機構１９は、動物移動時以外で、袋状機構１９を必要としないとき、袋状部分をマットＭ裏面にひっくり返して収納可能である。こうすることにより、マットＭ表面は、平坦な布面となる。
【００１２】
一方、図２及び図３で示すように、マットＭの裏面は、裏面補強布１６であり、裏面補強布１６は、ポリエステル１００％の生地の裏面に発泡エマルジョン樹脂を塗布し、その表面を削ぎ取って発泡部分を開口させて吸着力を付与して滑り止め層１５としたものを採用する形態であっても良い。マットＭの裏面には、マットＭの長手方向の１／２から振り分け位置に、テープ状ロープ１７を並行してループ状に縫い付けている。このループ状に縫い付けたロープ１７がマットＭよりはみ出した部分が持ち手Ｈとなり、マットＭには４つの持ち手Ｈが備えられる。
【００１３】
また、図１及び図２で示すように、持ち手Ｈには、着脱可能な肩掛け用ベルト１８が装着される。例えば、肩掛け用ベルト１８は、図中のバックル機構によって持ち手Ｍに着脱可能となる形態であっても良いが、その他の機構によって、肩掛け用ベルト１８が持ち手Ｍに着脱可能な形態となっていても良い。また、肩掛け用ベルト１８は、長さ調節を可能とする機構を備えていても良い。
【００１４】
図３で示すように、マットＭは、おもて地１１、抗菌、防臭、防ダニ処理を施したポリエステル繊維からなる中綿１２（中綿１２の下に空気層が有っても無くても良い）、ハニカム状クッション層１３、サラン（ダウ・ケミカル社の登録商標）ネット層１４、ポリエステル１００％の裏面補強布１６を積層して構成される。裏面補強布１６は、その裏面に、発泡エマルジョン樹脂を塗布し、その表面を削ぎ取って発泡部分を開口させて吸着力を付与した滑り止め層１５を形成する形態であっても良い。また、マットＭ上に犬などの動物を乗せて使用する際のマットＭの撓みを小さくするために、やや硬めの中敷きを上記何れかの層間に挿入しても良い。
【００１５】
図４で示すように、ハニカム状クッション層１３は、ナイロンの紡糸繊維を基本的に鎖編み１３ｃしながら、それを亀甲編み目状１３ｄに編成して上・下に配置する。そして、ハニカム状クッション層１３は、亀甲編み目状１３ｄに編成した鎖編み１３ｃ間を、０．１ｍｍφのナイロン延伸繊維１３ｅで弓なり状に編み繋いだもの（例えば、旭化成社の商品名「フュージョン−１」）である。なお、このハニカム状クッション層１３は、一層だけになっているが、層の厚さを変更したものを複数層重ねにすることもできる。
【００１６】
マットＭの縫製は、中綿１２、ハニカム状クッション層１３、サランネット１４の各層を積層し、これらをおもて地１１と裏面補強布１６とで包み込むように周囲を綴じ縫いし、綴じ縫い部分をテープ状布（図省略）で袋縫いする。さらに、マットＭの縫製は、マットＭの裏面に、長手方向の１／２から振り分け位置にテープ状ロープ１７を並行してループ状に縫い付けて完了する。なお、テープ状ロープ１７を縫い付ける際、内部の各層を共に縫い止めて移動しないようにする。
（本実施の形態に係る動物介護用持ち手付きマットの使用方法）
【００１７】
次に、マットＭの使用方法について説明する。はじめに、使用者は、マットＭを床など地面に敷き、移動対象（介護対象）の動物をマットＭ上に誘導する。動物がマットＭ上に乗った後、使用者は、前方の袋状機構１９の中へ動物の前方部分を挿入し、後方の袋状機構１９の中へ動物の後方部分を挿入する。なお、袋状機構１９に動物を挿入するか否かは、動物の状態、大きさ等によって、適宜選択することができる。
【００１８】
そして、使用者は、肩掛け用ベルト１８を自分の肩に掛け、動物をマットＭごと持ち上げ、そのまま移動する。こうすることで、マットＭは、介護対象の動物を飼い主などが一人でも移動させることができる。また、移動させる動物の体が、マットＭ表面にある２つの袋状機構１９に覆われているため、当該動物は、移動中、マットＭから滑り落ちることが無い。
【００１９】
以上、本考案の実施の形態について詳述したが、本考案は係る特定の実施の形態に限定されるものではなく、実用新案登録請求の範囲に記載された本考案の要旨の範囲において、種々の変形・変更が可能である。
【符号の説明】
【００２０】
１１    おもて地
１２    中綿
１３    ハニカム状クッション層
１３ｃ  鎖編み
１３ｄ  亀甲編み目状
１３ｅ  ナイロン延伸繊維
１４    プラスチック延伸細紐網（サランネット）
１５    滑り止め層
１６    裏面補強材
１７    テープ状ロープ
１８    着脱式肩掛け用ベルト
１９    袋状機構
Ｈ    持ち手
Ｍ    マット
【図１】
0003167223.tif 000003
【図２】
0003167223.tif 000004
【図３】
0003167223.tif 000005
【図４】
0003167223.tif 000006